(57)【要約】【課題】壁際や装置間に簡易に設置することができるパネル形の湿式粉塵吸着装置を提供する。【解決手段】門形の枠体１と、該枠体の上辺部に水平に設けた注水樋４と、該注水樋上に設けられた放水管１０と、該注水樋から吊下することにより前記枠体内に張設したネット５と、枠体１の下辺部に設けられネット５の下縁部を浸漬させている水受槽７と、水受槽の水を放水管１０に循環させる電動ポンプ８とからなり、放水管１０から放出された水をネット５に沿って流下させる。【選択図】図１
2011110447.tif 000002
【特許請求の範囲】
【請求項１】
門形の枠体と、該枠体の上辺部に水平に設けた注水樋と、該注水樋上に設けられた放水管と、該注水樋から吊下することにより前記枠体内に張設したネットと、前記枠体の下辺部に設けられ前記ネットの下縁部を浸漬させている水受槽と、該水受槽の水を前記放水管に循環させる電動ポンプとからなり、該放水管から放出された水を前記ネットに沿って流下させるようにしたことを特徴とする湿式粉塵吸着装置。
【請求項２】
門形の枠体と、該枠体の上辺部に水平に設けた注水樋と、該枠体の上辺部より吊下することにより片面を前記注水樋の水平な一側縁と摺接させて該枠体内に張設されたネットと、前記枠体の下辺部に設けられ前記ネットの下縁部を浸漬させている水受槽と、該水受槽の水を前記注水樋に循環させる電動ポンプとからなり、前記注水樋の一側縁から水を溢出させることで該水を前記ネットに沿って均一に流下させるようにしたことを特徴とする湿式粉塵吸着装置。
【請求項３】
ネットは、吸湿性の繊維材からなり、方形状の網目の一辺の長さが２ｍｍ〜４ｍｍのものであることを特徴とする請求項１または２に記載した湿式粉塵吸着装置。
【請求項４】
電動ポンプによる循環水量を適宜設定することにより、該網目に水膜が形成されるようにしたことを特徴とする請求項１〜３のいずれかに記載した湿式粉塵吸着装置。
【発明の詳細な説明】
【技術分野】
【０００１】
本発明は、壁際や装置間に簡易に設置することができるパネル形の湿式粉塵吸着装置に関するものである。
【背景技術】
【０００２】
例えば空気中に紙粉が舞い上がる段ボール紙加工工場においては、製品に紙粉その他の粉塵が付着することで商品価値が著しく下がってしまうという問題がある。そのために、エアーカーテンにより粉塵を遮断、吸収することが考えられるが、一般にエアーカーテンは、天井部や床部に格別な工事を要し工場の建屋構造をも考慮しないと設置できないため設置費用が非常に高くなるという問題があるとともに、移動が容易でないという問題がある。
【０００３】
また、下記特許文献１には、壁体の前面に設けられた散水装置から該壁体の表面に水を散水することにより、粉塵を除去する湿式の粉塵除去装置が示されている。また特許文献２には、穀物乾燥機の排気口の外側に設けられた湾曲状の枠体にネットを張設し、該ネットに対しシャワー装置から散水することにより、排風中の塵埃を除去する装置が示されている。
【先行技術文献】
【特許文献】
【０００４】
【特許文献１】特開２００８−６２１９４号公報
【特許文献２】実公平６−４１６２１号公報
【発明の概要】
【発明が解決しようとする課題】
【０００５】
ところが上記特許文献１、２に示された粉塵除去装置は、散水装置を壁体の前面やネットの上部に設けるものであったので、厚さが増し、設置のために広いスペースを要し、既存の装置間や壁際の狭いスペースに設置し難いという問題があった。
【課題を解決するための手段】
【０００６】
本発明に係る湿式粉塵吸着装置は上記課題を解決しようとするもので、門形の枠体と、該枠体の上辺部に水平に設けた注水樋と、該注水樋上に設けられた放水管と、該注水樋から吊下することにより前記枠体内に張設したネットと、前記枠体の下辺部に設けられ前記ネットの下縁部を浸漬させている水受槽と、該水受槽の水を前記放水管に循環させる電動ポンプとからなり、該放水管から放出された水を前記ネットに沿って流下させるようにしたことを特徴とする。
また、本発明に係る湿式粉塵吸着装置は、門形の枠体と、該枠体の上辺部に水平に設けた注水樋と、該枠体の上辺部より吊下することにより片面を前記注水樋の水平な一側縁と摺接させて該枠体内に張設されたネットと、前記枠体の下辺部に設けられ前記ネットの下縁部を浸漬させている水受槽と、該水受槽の水を前記注水樋に循環させる電動ポンプとからなり、前記注水樋の一側縁から水を溢出させることで該水を前記ネットに沿って均一に流下させるようにしたことを特徴とする。
また、本発明は上記湿式粉塵吸着装置において、ネットは、吸湿性の繊維材からなり、方形状の網目の一辺の径が２ｍｍ〜４ｍｍのものであることを特徴とする。
また、本発明は上記湿式粉塵吸着装置において、電動ポンプによる循環水量を適宜設定することにより、該網目に水膜が形成されるようにしたことを特徴とする。
【発明の効果】
【０００７】
上記構造の湿式粉塵吸着装置は、薄いパネル形に出来るので、設置スペースが要らず、狭い工場でも段ボール紙加工装置等の傍に容易に設置でき、効率よく粉塵を吸着する。また、この湿式粉塵吸着装置は、ポンプで少量の水を循環させるだけでよいので、消費電力は少なく、運転時に発生する騒音も小さく、静かな環境が維持されることから、エコロジーでもある。
【図面の簡単な説明】
【０００８】
【図１】本発明に係る湿式粉塵吸着装置の正面図。
【図２】図１の湿式粉塵吸着装置の平面図。
【図３】図１のＡ−Ａ線断面図。
【図４】図１のＢ−Ｂ線断面拡大図。
【図５】ネットの一部の拡大図。
【発明を実施するための形態】
【０００９】
次に図面に従い実施形態を説明する。図１〜図３に示したように、枠体１は角パイプを正面長方形状に枠組みすることにより形成され、該枠体１の下部に移動用のキャスター２を備えた脚部３が設けられ、該脚部３によって該枠体１が門形起立状態に支持される。４は横断面形状が略Ｊ字形の注水樋で、図４にも示したように該注水樋はその一側上縁部４ａを該枠体１の上辺部に固着することにより一側縁４ｂが長手方向に対し略々水平なるように支持される。５は吸湿性の繊維材からなるネットで、該ネット５の一辺を該枠体の上辺部に設けられた吊杆１ａに止着して吊下することにより、該ネット５の片面を前記注水樋の一側縁４ｂと摺接させ、該ネット５のその摺接部より下方を枠体１の内側に垂らしている。なお、６は該ネット５の両側辺を枠体１の両側支柱部に引き留めることにより、該ネット５を該枠体１内に張っている複数の止紐である。
【００１０】
７は枠体１の下辺部に設けられネット５の下縁部を浸漬させている長方形状の水受槽、８は該水受槽内の一端部に設けられた電動ポンプである。また、１０は前記注水樋４の上部に水平に設けられた放水管で、該放水管１０の一端に揚水管１１が連結され、電動ポンプ８の吐出口側に該揚水管１１を連結している。なお、該放水管１０には定間隔で散水口１２が形成されている。また、該放水管１０の他端に帰戻管１３が連結され、該帰戻管の途中に水量調節バルブ１４が設けられ、該帰戻管の下端開口を前記水受槽７内の他端部に臨ましている。なお、１５は水受槽７内の前記電動ポンプの吸水口に配置された活性炭からなる浄水用フィルターで、水受槽７内に溜まった水が該浄水用フィルター１５を通って電動ポンプ８に吸引されるようにしている。
【００１１】
このように構成した装置では、電動ポンプ８を作動させることにより水受槽７中の水が揚水管１１を通して放水管１０に揚水され、該放水管１０の散水口１２からネット５に向けてその水が散水される。なお、該ネット５を通り抜けた水は注水樋４上に受けられる。そして注水樋４上に受けられた水は、該注水樋４の一側縁４ｂから溢出ることによりネット５に沿って均一に流下する。なお、前記水量調節バルブ１４を操作することにより、帰戻管１３を通る戻水量が調節されるので、これにより放水管１０から散水される水量を適宜調節することができる。このため、ネット５に沿って流下する水により該ネット５の網目に水膜が形成されるように、この水量を適宜調節するのが望ましい。
【００１２】
なお、図５に示したように、ネット５は、縦方向の繊維束５ａと横方向の繊維束５ｂとから略々正方形の網目が形成され、該網目に水膜が形成され易いようにするため、該網目の一辺の長さが２ｍｍ〜４ｍｍであるようにしている。また、該ネット５は、同図に示されるように、縦方向の繊維束５ａは１本であるのに対し、横方向には２本の繊維束５ｂが該繊維束５ａを挟むように織られていることから、水が縦方向よりも横方向に流れ易くなり、その結果、流下する水が該ネット５上に水膜を形成した状態で長時間滞留し易くなるように配慮されている。
【００１３】
この湿式粉塵吸着装置は、段ボール紙加工装置等の傍に設置すれば、該加工装置等から発散した粉塵がネット５に付着し、該粉塵は該ネット５を流下する水と共に水受槽７に流れ落ちる。また、水受槽７に溜まった水は、浄水用フィルターを経て電動ポンプ８に吸引され前記放水管１０に再循環される。
【００１４】
このように本発明に係る湿式粉塵吸着装置は、門形枠体内にネットが張設された薄いパネル形のものであるので、軽量で移動が容易であると共に、段ボール紙加工装置の傍や壁際、機械装置間などの狭いスペースにも簡易に設置することができ、その機械装置から飛散した粉塵を効率よく吸着することができる。また、この湿式粉塵吸着装置は、運転に際し電動ポンプで少量の水を循環させるだけでよいので、消費電力が少なく、発生する騒音も小さく、静かな環境が維持され、メンテナンスも容易であるなど、種々の利点がある。
【産業上の利用可能性】
【００１５】
本発明に係るパネル形の湿式粉塵吸着装置は、ネットに沿って流下する水が滝のようにも見えて涼しげであるので、粉塵吸着を目的とするだけでなく、室内或いは室外においてクーラーとして利用できる可能性もある。また、背面に例えば電飾ランプを設ければ、流下する水によって光が乱反射し綺麗であるので、ディスプレイ装置として利用できる可能性もある。
【符号の説明】
【００１６】
１          枠体
４          注水樋
５          ネット
５ａ，５ｂ  繊維束
７          水受槽
８          電動ポンプ
１０        放水管
１４        水量調節バルブ
【図１】
2011110447.tif 000003
【図２】
2011110447.tif 000004
【図３】
2011110447.tif 000005
【図４】
2011110447.tif 000006
【図５】
2011110447.tif 000007